(57)【要約】【課題】加熱空気による洗濯物の乾燥と、熱せられた洗濯物の空気冷却とを行う業務用の乾燥機に関し、洗濯物の乾燥と冷却が共に速やかにかつ均一に行われるようにする。【解決手段】両端面が開放された回転胴２の端面に対向して筐体１の前壁と後壁とに直接機外に連通する冷風口７ａ、７ｂが設けられおり、乾燥工程ではこのダンパ８ａ、８ｂが共に閉じられる一方、冷却工程ではこのダンパ８ａ、８ｂが交互に開閉されることを特徴とする。乾燥用加熱空気は、回転胴の周面を通って導入され、回転胴２内で広げられた状態での洗濯物の乾燥が可能で、均一で速やかな乾燥が実現できる。冷却時には、冷却空気が筐体壁や回転胴周面で加温されることによる冷却効率の低下を避けることができ、冷風口７ａ、７ｂの交互開閉により、回転胴２内で洗濯物が偏在するのが防止でき、均一で速やかな冷却が実現される。【選択図】      図６
2006034802.tif 000002
【特許請求の範囲】
【請求項１】
筐体(1)と、当該筐体内で水平軸回りに回転する円筒ないし多角筒状の回転胴(2)と、前記筐体内に導かれる空気を加熱するヒータ(3)と、前記回転胴内の空気を排出するブロワ(5)とを備え、前記回転胴が、多数の通気孔を備えた周面(20)と、筐体の前後壁(28a,28b)に近接して開放された両端面(11a,11b)とを備えている、洗濯物の乾燥機において、
前記回転胴の前記開放された両端面領域に対向する前記前後壁に、乾燥工程後の冷却工程時に交互に開閉される冷風口(7a,7b)を備えていることを特徴とする、洗濯物の乾燥機。
【請求項２】
洗濯物を前記回転胴内に投入するために前記筐体の前壁に設けられる投入扉(23)が、その中心を前記回転胴の中心に対して下方に偏倚させて設けられており、前記冷風口(7a,7b)が筐体の前後壁(28a,28b)の上部に開口している、請求項１記載の洗濯物の乾燥装置。
【発明の詳細な説明】
【技術分野】
【０００１】
この発明は、加熱空気による洗濯物の乾燥と、熱せられた洗濯物の空気冷却とを行う業務用の洗濯物の乾燥機に関するもので、特に冷却用空気を取り入れるためのダンパの配置と、冷却時におけるその作動とに特徴を有する上記装置に関するものである。
【背景技術】
【０００２】
業務用の洗濯物乾燥機は、洗濯物の投入排出を行う扉を備えた筐体と、この筐体内に設置された周面に多数の通気孔を備えた回転胴と、前記周面を通してこの回転胴に乾燥空気を通過させるブロワと、当該乾燥空気を加熱するヒータとを備えている。水分を含んだ洗濯物は、回転胴内に投入され、回転胴の回転とその周面を通過する加熱空気とによって回転胴内でほぐされながら浮遊状態で乾燥される。乾燥した洗濯物は、乾燥機から排出されて、アイロンがけ工程へと送られる。
【０００３】
乾燥を効率よく行うために、乾燥空気には加熱空気が用いられており、この加熱空気を得るために筐体上面に設けた空気取入れ口に蒸気を熱源とするヒータが設けられている。通気用のブロワは、筐体下面または筐体上面に配置されて、筐体上面に配置したときは、筐体内に整流用の隔壁を設けて、乾燥空気が回転胴を軸直角方向に横切って流れるようにする。これにより、回転胴内で洗濯物が浮遊状態となり、均一な乾燥を能率よく行うことができる。
【０００４】
乾燥後の洗濯物の取り出しや搬送を容易にし、また皺が残るのを防止するために、乾燥した洗濯物は速やかに冷却するのが望ましい。そこで乾燥後、筐体に外気を導入して空気冷却することが行われている。一般的には冷却空気を加熱空気と共通の流路を使って流しているが、冷却空気が回転胴内に流入する前に筐体壁や回転胴の周面によって加熱されてしまうことによる冷却効率の低下を避けるために、洗濯物投入用の扉を通して冷却空気を導入する構造が提案されている。また、両端面が開放された回転胴を有する乾燥機において、加熱空気と冷却空気とを共に回転胴の端面から回転胴内へ流入させる構造も提案されている。
【特許文献１】登録実用新案公報第３０４４８２９号公報
【特許文献２】特開２００４−９７８３１号公報
【発明の開示】
【発明が解決しようとする課題】
【０００５】
前述したように、乾燥用の加熱空気は、回転胴の周面を通って流入し、これにより回転胴内で洗濯物が満遍なく広げられて均一に乾燥空気に晒されることになり、均一でかつ速やかな乾燥が可能になる。冷却空気も同様な流路で回転胴内へ導入すれば、同様な理由によって均一な冷却が行われるのであるが、冷却空気を回転胴周面を通して導入すると、加熱された周面によって冷却空気が加熱され、冷却効率が低下する。
【０００６】
そこで前述した従来装置では、冷却空気を大きく開放されている回転胴の端面から導入することによって冷却空気が筐体壁や回転胴の周面によって加熱されるのを回避している。ところがこの構造では、回転胴内の洗濯物を空気流によって広げることができず、洗濯物が回転胴の奥側や中央部に集められてしまい、冷却の効率や均一性が損なわれるという問題が発生する。
【０００７】
この発明は、加熱された洗濯物を外気の導入によって冷却するようにした乾燥機において、洗濯物の冷却がより速やかにかつ均一に行われる技術手段を得ることを課題としている。
【課題を解決するための手段】
【０００８】
上記課題を解決したこの発明の洗濯物の乾燥機は、筐体１と、当該筐体内で水平軸回りに回転する円筒ないし多角筒状の回転胴２と、前記筐体内に導かれる空気を加熱するヒータ３と、前記回転胴内の空気を排出するブロワ５とを備え、前記回転胴が、多数の通気孔を備えた周面２０と、筐体の前後壁２８ａ、２８ｂに近接して開放された両端面１１ａ、１１ｂとを備えている、洗濯物の乾燥機において、前記回転胴の前記開放された両端面領域に対向する前記前後壁に、乾燥工程後の冷却工程時に交互に開閉される冷風口７ａ、７ｂを備えていることを特徴とするものである。
【０００９】
本願請求項２の発明は、上記手段を備えた洗濯物の乾燥機において、洗濯物を回転胴２内に投入するために筐体１の前壁に設けられる投入扉２３が、その中心を前記回転胴の中心に対して下方に偏倚させて設けられており、前記冷風口７ａ、７ｂが筐体の前後壁２８ａ、２８ｂの上部に開口していることを特徴とするものである。
【００１０】
上記構造の乾燥機は、両端面が大きく開放された回転胴２を備えていること、この大きく開放された回転胴端面に対向して筐体の前壁２８ａと後壁２８ｂとに直接機外に連通するダンパ８ａ、８ｂを備えた冷風口７ａ、７ｂが設けられていること、乾燥工程ではこのダンパ８ａ、８ｂが共に閉じられる一方、冷却工程ではこのダンパ８ａ、８ｂが交互に開閉されること、及び、洗濯物の乾燥工程における加熱空気は回転胴の周面２０を通して回転胴２内へ導入されること、を特徴とするものであり、これらの特徴を備えることによって均一で速やかな洗濯物の乾燥と冷却とが共に達成できる。
【００１１】
すなわち、乾燥用加熱空気は、回転胴の周面２０を通って導入されることから、回転胴２内で広げられた状態での洗濯物の乾燥が可能であり、均一で速やかな乾燥が実現できる。一方、冷却時においては、直接機外に連通する冷風口７ａ、７ｂを通して、加熱された回転胴周面２０を通過することなく、冷却空気が導入されるので、冷却空気が筐体壁や回転胴周面で加温されることによる冷却効率の低下を避けることができる。
【００１２】
そして、冷却工程時に筐体の前壁側と後壁側の冷風口７ａ、７ｂの交互開閉により、回転胴２内で洗濯物が偏在するのが防止でき、回転胴内で洗濯物が広げられた状態となって、均一で速やかな冷却が実現される。
【発明の効果】
【００１３】
上記のようにこの発明によれば、加熱空気による洗濯物の乾燥と、その後の外気による洗濯物の冷却とを行う洗濯物の乾燥機において、洗濯物の乾燥と冷却とが共に均一に、かつ速やかに行うことができ、従って乾燥機への洗濯物の投入から排出までに要する時間を短縮することができるという効果がある。
【００１４】
また、投入扉２３の中心を回転胴２の中心より下方に偏倚させて設けた構造では、冷風口７ａ、７ｂの開口面積を大きくできると共に、大型の乾燥機おいて、投入扉２３の高さを低くできるため、乾燥機への洗濯物の投入や取り出し作業が容易になるという効果がある。
【発明を実施するための最良の形態】
【００１５】
以下、図面を参照してこの発明の最も好ましい実施形態の一例を説明する。図１ないし７は、実施例装置の要部を示した図で、図１は正面図、図２は背面図、図３は加熱空気の流動状態を示す断面正面図、図４は同断面側面図、図５は冷却空気の通風状態を示す断面正面図、図６及び図７は、同断面側面図である。
【００１６】
図中、１は筐体、２は回転胴、３は乾燥空気を加熱するためのヒータ、４はヒータの通風口を開閉する熱風用ダンパ、５は通風用の遠心ブロワ、６は排気ダクトに設けられた綿ほこりなどを集塵するためのフィルタ、７ａ及び７ｂは冷風口、８ａ及び８ｂは冷風用ダンパである。
【００１７】
回転胴２は、パンチングメタルや金網で形成された周面２０を備えており、その両端にはガイドリング１０ａ、１０ｂが設けられ、両端面１１ａ、１１ｂは開放されている。回転胴２は筐体１に設けた前後２対のローラ１２ａ、１２ｂで、ガイドリング１０ａ、１０ｂを支持することにより、筐体１内に水平軸回りに回転可能に収容されている。４個のローラの内の片側前後のものは、ローラ軸１３で連結されており、このローラ軸が電動機１４で回転駆動されることにより、回転胴２が回転する。
【００１８】
筐体１の側壁１６及び天井壁１７の内側には、先端辺が回転胴２の周面に接するワイパ（隔壁）１８ａ、１８ｂが設けられており、更に上方のワイパ１８ａから筐体内の空気の澱みをなくするための整流壁１９が設けられている。ワイパ１８ａ、１８ｂは、筐体１と回転胴の周面２０との隙間を通って流れる空気を遮断している。
【００１９】
洗濯物の出し入れを行うための投入口２２は、図１に示すように、筐体１の前壁２８ａに、回転胴２より下方に偏倚させて設けられている。すなわち、投入扉２３の中心は、回転胴２の中心より低い位置にある。投入扉２３は、蝶番２４によって筐体前面に枢着されており、閉鎖状態を保持するロック装置２５が設けられている。
【００２０】
投入扉２３を下方に偏倚して設けたことにより生じる前壁上部の回転胴端面１１ａに対向するスペースに、冷風口７ａが開口しており、この冷風口を閉鎖する冷風ダンパ８ａが設けられている。筐体前壁の冷風口７ａに対向して、筐体後壁の同じ位置に冷風口７ｂと冷風ダンパ８ｂが設けられている。冷風ダンパ８ａは上辺を蝶番２４で筐体前壁２８ａに蝶着して設けられ、冷風ダンパ８ｂは下辺を蝶番２４で筐体後壁２８ｂに蝶着して設けられており、この蝶番回りに冷風ダンパ８ａ、８ｂを揺動開閉する構造の開閉シリンダ３０ａ、３０ｂが設けられている。筐体の前後壁２８ａ、２８ｂは、回転胴の前後端面１１ａ、１１ｂに近接しており、ダンパ８ａ、８ｂが開かれたとき、冷風口７ａ、７ｂはダクトなどの通路を介することなく直接機外に開口する。
【００２１】
次に図示装置の洗濯物乾燥工程と冷却工程の動作を説明する。洗濯物を回転胴２内に投入して投入扉２３を閉め、図示しない起動スイッチを押すことにより、乾燥工程が開始する。乾燥工程においては、冷風ダンパ８ａ、８ｂが共に閉じ、熱風ダンパ４が開いた状態で、回転胴２を回転させつつ、ブロワ５が運転される。この状態で図３、４に示すように、ヒータ３で加熱された空気３２が回転胴の周面２０を通って回転胴２内へと導入され、回転胴２を径方向に横切って流れ、フィルタ６を通って遠心ブロワ５により排気される。回転胴２は、図３で左回りに回転しており、回転胴内の図示しない洗濯物は、図３の右側の周面に沿って持上げられ、落下するときに加熱空気流３２によって乾燥される。
【００２２】
所定時間の乾燥工程が終了すると、ヒータ３への蒸気が遮断され、熱風ダンパ４が閉じ、前後の冷風ダンパ８ａ、８ｂが共に開く。回転胴２及びブロワ５は、回転を続ける。この状態でヒータ３を通過する熱風の導入が停止し、回転胴２内に前後の冷風口７ａ、７ｂから外気が導入されて、回転胴２内を直径方向に横切って流れ、フィルタ６を通ってブロワ５により排出される。冷却工程の初期に冷風ダンパ８ａ、８ｂを共に開くのは、回転胴２内への冷風の供給量を多くして、機内の急激な冷却を図るためである。
【００２３】
両側の冷風ダンパ８ａ、８ｂを開いた状態で、例えば１分程度の冷却を行ったら、次に冷風ダンパの一方を閉じ、冷風が片側の冷風口のみから導入されるようにする。そして、例えば３０秒毎に前後の冷風ダンパ８ａ、８ｂの開閉を交互に繰り返して、図６と７に示す通気状態が交互に生ずるようにする。すなわち、冷風ダンパ８ａ、８ｂの交互開閉により、回転胴２内には、前方から流入する空気流３３ａと後方から流入する空気流３３ｂとが交互に生じ、回転胴２内の洗濯物が前後に動かされて、一方に片寄ることがなくなり、冷却途中の洗濯物が回転胴２の周面に広く分散された状態で回転胴２の回転による洗濯物の持上げと落下とが繰り返されるので、洗濯物が均一に冷却空気に晒され、従って均一で速やかな冷却が実現できる。
【００２４】
所定時間の冷却工程が終了したら、回転胴２及びブロワ５を停止し、回転胴２の停止確認により投入扉２３のロック装置２５を解除する。そこで作業者は、投入扉２３を開け、乾燥済の洗濯物を取り出して、次の洗濯物を投入する。
【００２５】
なお、上記実施形態では、乾燥空気及び冷却空気を上方から下方へと通過させるものについて述べたが、ヒータ３及びブロワ５を筐体１の上方に設けて、乾燥空気３２及び冷却空気３３ａ、３３ｂが、回転胴２内を正面視でＵ字状に流れる構造や、あるいは回転胴を水平に横切る方向に流れる構造の乾燥機にも、この発明を採用することができる。
【図面の簡単な説明】
【００２６】
【図１】本発明の乾燥機の正面図
【図２】本発明の乾燥機の背面図
【図３】加熱空気の流動状態を示す断面正面図
【図４】加熱空気の流動状態を示す断面側面図
【図５】冷却空気の通風状態を示す断面正面図
【図６】冷却空気の前面からの通風状態を示す断面側面図
【図７】冷却空気の背面から通風状態を示す断面側面図
【符号の説明】
【００２７】
１  筐体
２  回転胴
５  遠心ブロワ
7a,7b  冷風口
11a,11b  ガイドリングの両端面
20  回転胴の周面
23  投入扉
28a,28b  筐体前後壁
【図１】
2006034802.tif 000003
【図２】
2006034802.tif 000004
【図３】
2006034802.tif 000005
【図４】
2006034802.tif 000006
【図５】
2006034802.tif 000007
【図６】
2006034802.tif 000008
【図７】
2006034802.tif 000009